(57)【要約】【課題】簡易な構造で、操作モジュールの取り付けベースへの取り付けを容易にし、また、取り付けベースから操作モジュールを容易に持ち運べる操作モジュールロック機構を提供する。【解決手段】操作モジュール１２の両側面に回動自在となるよう軸支された薄板状のレバー２２を備え、レバー２２には、把持部２４と、係止部２６が形成され、取り付けベース１４には、固定レーン２８が形成され、固定レーン２８は、脚部１８を挿置する脚部挿置部３０と、係止部２６を挿入する係止孔３２を有し、脚部１８を脚部挿置部３０に挿置した状態で、係止部２６を係止孔３２に挿入させることで、操作モジュール１２を取り付けベース１４に固定配置し、係止部２６を係止孔３２から抜去し、把持部２４を持ち上げることで、操作モジュール１２を取り付けベース１４から取り外せる構造とした。【選択図】図３
2019110246.tif 000002
【特許請求の範囲】
【請求項１】
取り付けベースを有するスイッチャに、操作モジュールを取り付けるための操作モジュールロック機構において、
前記操作モジュールは、底面に突出した脚部が設けられ、且つ、両側面にそれぞれ設けられたネジ孔に、ネジ部材をもって、それぞれ上下方向に回動自在となるよう軸支された薄板状のレバーが備えられ、
前記レバーは、一端側に、かぎ状の把持部が、他端側には、前記レバーを前記把持部が下方向に向かうよう回動させた際に、前記操作モジュールの底面側に位置する箇所に、前記操作モジュールを前記取り付けベースに固定配置するために用いるかぎ状の係止部が形成され、
前記取り付けベースは、両側辺に沿って固定レーンが形成されており、当該固定レーンに、前記脚部をそれぞれ挿置可能とする脚部挿置部と、前記係止部を挿入する係止孔を有し、
前記脚部を脚部挿置部に挿置した状態で、前記レバーを前記把持部が下方向に向かうよう回動させ、前記係止部を前記係止孔に挿入することで、前記操作モジュールを前記取り付けベースに固定配置でき、さらに、その状態から、前記レバーを前記把持部が上方向に向かうよう回動させ、前記係止部を前記係止孔から抜去し、前記把持部を持ち上げることで、前記操作モジュールを前記取り付けベースから取り外せるよう構成されていることを特徴とする操作モジュールロック機構。
【請求項２】
前記レバーは、前記一端側と他端側の間にかけて、当該レバーを前記把持部が下方向に向かうよう回動させた際に、下側となる所定範囲に切り欠き部が形成され、且つ、当該切り欠き部の前記他端側は、前記レバーを前記把持部が下方向に向かうよう回動させた際に、上方から順に、窪んだ形状に形成された付勢部と、なだらかな曲線に形成された摺動部を有しており、また、前記操作パネルの両側面には、前記レバーを前記把持部が下方向に向かうよう回動させた際に、前記切り欠き部に対応する範囲に、軸形状の第１ストッパーと、当該第１ストッパーよりも上方となる位置に軸形状の第２ストッパーが、そして、一端側が、前記第１ストッパーに当接可能な、当該第１ストッパーに向けて、かぎ状となる引っ掛け部が形成されるとともに、他端側が、前記操作モジュールの底面側の固定部に固定されてなる弾性部材が、それぞれ備えられ、
前記レバーを前記把持部が下方向に向かうよう回動させた場合、前記把持部が所定位置まで到達すると、前記引っ掛け部が、前記付勢部に当接して、前記レバーを下方向へと付勢するとともに、前記第２ストッパーが、前記切り欠き部のうちの、前記把持部と、前記付勢部の間に当接することで、前記レバーの更なる下方向への回動を制止でき、さらに、その位置から、前記レバーを前記把持部が上方向に向かうよう回動させた場合、前記引っ掛け部が、前記付勢部から離れ、前記第１ストッパーに当接するとともに、前記摺動部を摺動していき、前記把持部が所定位置まで到達すると、前記係止部が、前記弾性部材の一端側と他端側の間の所定箇所に当接するとともに、前記引っ掛け部を前記第１ストッパーに押し当てることで、前記レバーの更なる上方向への回動を制止できるよう構成されていることを特徴とする請求項１記載の操作モジュールロック機構。
【請求項３】
前記レバーは、対角に一対、互い違いに配置されていることを特徴とする請求項１又は２記載の操作モジュールロック機構。
【請求項４】
前記レバーは、前記引っ掛け部が、前記付勢部に当接する位置まで回動した際に、当該レバーを前記把持部が下方向に向かうよう回動させた際に、上側となる辺が、前記操作モジュールの上面と面一となるよう構成されていることを特徴とする請求項１〜３何れか１項記載の操作モジュールロック機構。
【発明の詳細な説明】
【技術分野】
【０００１】
本発明は、操作モジュールをスイッチャの取り付けベースに取り付ける際の固定（ロック）機構について、特に、簡易な構造で、容易に取り付けが可能で、且つ、取り外しも容易になる操作モジュールロック機構に関するものである。
【背景技術】
【０００２】
従来から、電子機器本体等をケース等に取り付けたり、また、取り外す作業を容易にする着脱構造が開発されている。例えば、特許文献１には、カーステレオなどの側面に着脱自在に内設された係合爪によりブラケット内に係止される車載用電子機器において、危機の側面前方に開動自在に軸支され、非使用時はエスカッションの一部を形成する把持が配設され、さらに、上記エスカッションの前面にスリット開口され、該スリットの内方に別途機器内に配設された係合爪の解除レバーの先端が配設され、該スリットに挿入される解除キーとからなる車載用電子機器の取り付け構造が開示されている。
【０００３】
また、特許文献２には、車内に設けられた車載機器取り付け用のスリーブケースに音響機器等を着脱可能に取り付けるための着脱機構において、機器本体に配置され、該機器本体の正面側に設けた挿入穴から挿入される治具で押圧されることにより回転して把手部が機器本体の正面側に突出するようにした回転レバーと、該回転レバーと遊びをもたせて係合していて正面側に突出した前記把手部を介して前記回転レバーを回転させることにより揺動する揺動部材と、該揺動部材の揺動により前記スリーブケースに設けた係合穴から出没する係合レバーとを備えていることを特徴とする車載用音響機器等の着脱機構が開示されている。
【０００４】
しかし、上記特許文献１、２は、機器の着脱の際には、専用の冶具を必要とするため、使いづらさが感じられている。また、電子機器（例えば、操作モジュール等）をスイッチャ等の取り付けベースに固定する場合は、通常、ねじ止めが一般的であるが、取り付け、取り外しが煩雑で、使い勝手が悪く、また、操作面には外観上、ねじ頭を隠す対策をしなくてはならず、煩雑であるとされている。
【０００５】
そこで、例えば、特許文献３には、両側面を軸に上下回転自在な把手を有した電子機器ユニットと前記把手下部に配置された前記電子機器ユニットの取り付けベースとを備えた電子機器において、上記取り付けベースに弾性部材及び案内ピンを設け、上記把手の一部に上記案内ピンと係合するクランプ部を設け、上記把手を下方向へ可動させた際、上記クランプ部と案内ピンが係合し、電子機器の脚が上記弾性部材に圧触される構成を特徴とする電子機器装着機構が開示されている。
【０００６】
この技術によれば、把手下部にクランプ部を設け、このクランプ部によって把手を上下操作することで、取り付け金具の受け止めができ、専用の冶具を用いなくとも、電子機器の着脱が容易になるとされている。
【先行技術文献】
【特許文献】
【０００７】
【特許文献１】実開昭６３−１６４８５号公報
【特許文献２】特開平７−２５７２８７号公報
【特許文献３】特開昭６２−２０４５９４号公報
【発明の概要】
【発明が解決しようとする課題】
【０００８】
しかしながら、上記特許文献１、２では、前述のとおり、専用の冶具が必要となってしまい、また、上記特許文献３では、電子機器の着脱が容易にはなるが、クランプ部と係合させる案内ピンや、可動バネ等を取り付けベース側に設けなければならず、電子機器を取り外した後は、電子機器を直接掴んで持ち上げなくてはならず、さらなる構造面での改良が望まれてきていた。また、外観上もスマートではなく、その点での改良も必要とされていた。
【０００９】
本発明は、上述の課題を解決するためのもので、専用の冶具を不要とし、さらに、簡易な構造で、操作モジュールのスイッチャの取り付けベースへの取り付けを容易に行えるとともに、スイッチャの取り付けベースから取り外した操作パネルを容易に持ち上げ、運ぶことが可能となる操作モジュールロック機構を提供することにある。  
【課題を解決するための手段】
【００１０】
上述の課題に対応するため、本発明は、以下の技術的手段を講じている。
即ち、請求項１記載の発明は、取り付けベースを有するスイッチャに、操作モジュールを取り付けるための操作モジュールロック機構において、前記操作モジュールは、底面に突出した脚部が設けられ、且つ、両側面にそれぞれ設けられたネジ孔に、ネジ部材をもって、それぞれ上下方向に回動自在となるよう軸支された薄板状のレバーが備えられ、前記レバーは、一端側に、かぎ状の把持部が、他端側には、前記レバーを前記把持部が下方向に向かうよう回動させた際に、前記操作モジュールの底面側に位置する箇所に、前記操作モジュールを前記取り付けベースに固定配置するために用いるかぎ状の係止部が形成され、前記取り付けベースは、両側辺に沿って固定レーンが形成されており、当該固定レーンに、前記脚部をそれぞれ挿置可能とする脚部挿置部と、前記係止部を挿入する係止孔を有し、前記脚部を脚部挿置部に挿置した状態で、前記レバーを前記把持部が下方向に向かうよう回動させ、前記係止部を前記係止孔に挿入させることで、前記操作モジュールを前記取り付けベースに固定配置でき、さらに、その状態から、前記レバーを前記把持部が上方向に向かうよう回動させ、前記係止部を前記係止孔から抜去し、前記把持部を持ち上げることで、前記操作パネルを前記取り付けベースから取り外せるよう構成されていることを特徴とする操作モジュールロック機構である。
【００１１】
次に、請求項２記載の発明は、請求項１記載の操作モジュールロック機構であって、前記レバーは、前記一端側と他端側の間にかけて、当該レバーを前記把持部が下方向に向かうよう回動させた際に、下側となる所定範囲に切り欠き部が形成され、且つ、当該切り欠き部の前記他端側は、前記レバーを前記把持部が下方向に向かうよう回動させた際に、上方から順に、窪んだ形状に形成された付勢部と、なだらかな曲線に形成された摺動部を有しており、また、前記操作パネルの両側面には、前記レバーを前記把持部が下方向に向かうよう回動させた際に、前記切り欠き部に対応する範囲に、軸形状の第１ストッパーと、当該第１ストッパーよりも上方となる位置に軸形状の第２ストッパーが、そして、一端側が、前記第１ストッパーに当接可能な、当該第１ストッパーに向けて、かぎ状となる引っ掛け部が形成されるとともに、他端側が、前記操作モジュールの底面側の固定部に固定されてなる弾性部材が、それぞれ備えられ、前記レバーを前記把持部が下方向に向かうよう回動させた場合、前記把持部が所定位置まで到達すると、前記引っ掛け部が、前記付勢部に当接して、前記レバーを下方向へと付勢するとともに、前記第２ストッパーが、前記切り欠き部のうちの、前記把持部と、前記付勢部の間に当接することで、前記レバーの更なる下方向への回動を制止でき、さらに、その位置から、前記レバーを前記把持部が上方向に向かうよう回動させた場合、前記引っ掛け部が、前記付勢部から離れ、前記第１ストッパーに当接するとともに、前記摺動部を摺動していき、前記把持部が所定位置まで到達すると、前記係止部が、前記弾性部材の一端側と他端側の間の所定箇所に当接するとともに、前記引っ掛け部を前記第１ストッパーに押し当てることで、前記レバーの更なる上方向への回動を制止できるよう構成されていることを特徴としている。
【００１２】
また、請求項３記載の発明は、請求項１又は２記載の操作モジュールロック機構であって、前記レバーは、対角に一対、互い違いに配置されていることを特徴としている。さらに、請求項４記載の発明は、請求項１〜３何れか１項記載の操作モジュールロック機構であって、前記レバーは、前記引っ掛け部が、前記付勢部に当接する位置まで回動した際に、当該レバーを前記把持部が下方向に向かうよう回動させた際に、上側となる辺が、前記操作モジュールの上面と面一となるよう構成されていることを特徴としている。
【発明の効果】
【００１３】
本発明によれば、ねじ止め等せずとも、また、専用の冶具を用いずとも、簡易な構造により、操作モジュールをスイッチャの取り付けベースに取り付けることが容易に行えるとともに、スイッチャの取り付けベースから取り外した操作モジュールを容易に持ち、運ぶことができるため、メンテナンス性や、カスタマイズの点で、非常に有用なものとなる。また、薄板状のレバーを用いているため、外観上においても優れたものとなる。
【図面の簡単な説明】
【００１４】
【図１】本発明に係る操作モジュールロック機構の実施形態のうち、操作モジュールを示した図で、（ａ）はレバーを把持部が下方向となるように回動させ、取り付けベースに取り付けられる状態、（ｂ）はレバーを把持部が上方向、或いは下方向となるように回動させている途中の状態、（ｃ）はレバーを把持部が上方向となるように回動させ、把持部を持ち上げ可能な状態、（ｄ）はレバーが更に上方向へと回動しないよう制止されている状態を表している。
【図２】本発明に係る操作モジュールロック機構の実施形態において、操作モジュールをスイッチャの取り付けベースに取り付ける状態を示した一例図である。
【図３】本発明に係る操作モジュールロック機構の実施形態において、操作モジュールを取り付けベースに取り付けた状態を示した図である。
【図４】本発明に係る操作モジュールロック機構の実施形態において、操作モジュール同士の位置関係の一例を示した図で、（ａ）は斜視図、（ｂ）は平面図である。
【発明を実施するための形態】
【００１５】
本発明に係る操作モジュールロック機構の実施形態について図面を参照しながら説明する。図１は、本発明に係る操作モジュールロック機構の実施形態のうち、操作モジュールを示した図で、（ａ）はレバーを把持部が下方向となるように回動させ、取り付けベースに取り付けられる状態、（ｂ）はレバーを把持部が上方向、或いは下方向となるように回動させている途中の状態、（ｃ）はレバーを把持部が上方向となるように回動させ、把持部を持ち上げ可能な状態、（ｄ）はレバーが更に上方向へと回動しないよう制止されている状態を表している。
【００１６】
また、図２は、本発明に係る操作モジュールロック機構の実施形態において、操作モジュールをスイッチャの取り付けベースに取り付ける状態を示した一例図で、図３は、本発明に係る操作モジュールロック機構の実施形態において、操作モジュールを取り付けベースに取り付けた状態を示した図である。
【００１７】
なお、符号については、１０が操作モジュールロック機構、１２が操作モジュール、１４が取り付けベース、１６がスイッチャ、１８が脚部、２０がネジ部材、２２がレバー、２４が把持部、２６が係止部、２８が固定レーン、３０が脚部挿置部、３２が係止孔、３４が切り欠き部、３６が付勢部、３８が摺動部、４０が第１ストッパー、４２が第２ストッパー、４４が引っ掛け部、４６が弾性部材を示している。
【００１８】
まず、本実施形態における操作モジュールロック機構１０は、図１、２に示すように、操作モジュール１２を固定配置できる取り付けベース１４を有するスイッチャ１６に、操作モジュール１２を取り付けるためのもので、操作モジュール１２は、底面に突出した脚部１８が設けられ、且つ、両側面にそれぞれ設けられたネジ孔（図示せず）に、ネジ部材２０をもって、それぞれ上下方向に回動自在となるよう軸支された薄板状のレバー２２が備えられている。
【００１９】
さらに、レバー２２は、一端側に、かぎ状の把持部２４が、他端側には、レバー２２を把持部２４が下方向に向かうよう回動させた際に、操作モジュール１２の底面側に位置する箇所に、操作モジュール１２を取り付けベース１４に固定配置するために用いるかぎ状の係止部２６が形成されている。なお、本実施形態では、係止部２６は、把持部２４と逆方向に向くかぎ状に形成されている。
【００２０】
また、取り付けベース１４は、図３に示すように、両側辺に沿って固定レーン２８が形成されており、この固定レーン２８に、脚部１８をそれぞれ挿置可能とする脚部挿置部３０と、係止部２６を挿入する係止孔３２を有している。
【００２１】
そして、本実施形態は、脚部１８を脚部挿置部３０に挿置した状態で、レバー２２を把持部２４が下方向に向かうよう回動させ、係止部２６を係止孔３２に挿入させることで、操作パネル１２を取り付けベース１４に固定配置でき、さらに、その状態から、レバー２２を把持部２４が上方向に向かうよう回動させ、係止部２６を係止孔３２から抜去し、把持部２４を持ち上げることで、操作モジュール１２を取り付けベース１４から取り外せるよう構成されている。
【００２２】
続いて、本発明に係る操作モジュールロック機構の実施形態について詳細に説明していく。本実施形態における操作モジュールロック機構１０は、図２に示すように、例えば、小規模スタジオや小型制作中継車などの制作や、小型報道中継車や出先中継などの報道などに最適に用いられるスイッチャ１６の取り付けベース１４に、操作モジュール１２を取り付けるためのものである。
【００２３】
続いて、本実施形態において、操作モジュール１２は、図１に示すように、底面に突出した脚部１８が設けられ、且つ、両側面にそれぞれ設けられたネジ孔（図示せず）に、ネジ部材２０をもって軸支された薄板状のレバー２２が備えられている。そして、このレバー２２は、それぞれ上下方向に回動自在となっており、例えば、図１（ａ）から（ｂ）、（ｃ）、そして（ｄ）へと回動させることができる。なお、本発明は、レバー２２を薄板状とすることで、外観上スリムなものとなる。
【００２４】
そして、レバー２２は、一端側に、かぎ状の把持部２４が、他端側には、操作パネル１２を取り付けベース１４に固定配置するために用いるかぎ状の係止部２６が形成されている。また、取り付けベース１４は、図３に示すように、両側辺に沿って、操作モジュール１２を固定配置するための固定レーン２８が形成されており、この固定レーン２８には、操作モジュール１２の裏面に形成されている脚部１８をそれぞれ挿置可能とする脚部挿置部３０と、レバー２２に形成されている係止部２６を挿入する係止孔３２を有している。
【００２５】
そして、本実施形態では、図３に示すように、まず、操作モジュール１２の脚部１８を脚部挿置部３０に挿置した状態で、図１（ａ）に示す状態となるように、レバー２２を把持部２４が下方向に向かうよう回動させ、係止部２６を係止孔３２に挿入させることで、操作パネル１２を取り付けベース１４に固定配置できるようになっている。
【００２６】
さらに、その状態から、操作モジュール１２を取り外す場合は、図１（ａ）に示すレバー２２の状態から、（ｂ）、さらに、（ｃ）へとレバー２２を把持部２４が上方向に向かうよう回動させ、係止部２６を係止孔３２から抜去する。そして、（ｃ）の状態で把持部２４を持ち上げることで、操作モジュール１２を取り付けベース１４から容易に取り外せることができる。このような構造としているため、工具不要で、操作モジュール１２の取り付けベース１４への取り付けや、操作モジュール１２の取り付けベース１４からの取り外しを容易に行えることができるわけである。
【００２７】
ここで、操作モジュール１２を取り付けベース１４に取り付ける流れについて詳しく説明する。まず、図１（ａ）に示すように、レバー２２は、一端側と他端側の間にかけて、レバー２２を把持部２４が下方向に向かうよう回動させた際に、下側となる所定範囲に切り欠き部３４が形成され、且つ、切り欠き部３４の他端側は、レバー２２を把持部２４が下方向に向かうよう回動させた際に、上方から順に、窪んだ形状に形成された付勢部３６と、なだらかな曲線に形成された摺動部３８を有している。
【００２８】
一方、操作モジュール１２の両側面には、レバー２２を把持部２４が下方向に向かうよう回動させた際に、切り欠き部３４に対応する範囲に、軸形状の第１ストッパー４０と、第１ストッパー４０よりも上方となる位置に第２ストッパー４２が、そして、一端側が、第１ストッパー４０に当接可能で、第１ストッパー４０に向けて、かぎ状を呈する引っ掛け部４４が形成されるとともに、他端側が、操作モジュール１２の底面側にて固定された弾性部材４６が、それぞれ備えられている。
【００２９】
そして、操作モジュール１２を取り付けベース１４に取り付ける際には、図１（ｃ）に示した状態の操作モジュール１２の把持部２４を持ち、図３に示す、操作モジュール１２の脚部１８を取り付けベース１４の固定レーン２８に形成されている脚部挿置部３０に挿置し、図１（ｂ）から（ａ）へと示すように、レバー２２を把持部２４が下方向に向かうよう回動させる。
【００３０】
続いて、図１（ｂ）に示すように、レバー２２を把持部２４が下方向に向かうように回動させていくと、引っ掛け部４４が、第１ストッパー４０に当接したまま、摺動部３８を摺動していく。この摺動部３８は、なだらかな曲線に形成されているため、スムースな回動が可能となっている。
【００３１】
さらに、続けてレバー２２の把持部２４が下方向に向かうように回動させていくと、図１（ａ）に示すように、引っ掛け部４４が、付勢部３６に当接し、レバー２２を下方向へ付勢することにより、その位置を維持させつつ、第２ストッパー４２が、切り欠き部３４のうちの、把持部２４と、付勢部３６の間に当接することで、レバー２２の更なる下方向（回動方向）への回動を制止することができるようになっている。
【００３２】
この図１（ａ）に示す位置になると、レバー２２の係止部２６が、固定レーン２８の係止孔３２に挿入された状態となり、また、レバー２２の位置が維持されるため、操作モジュール１２が、取り付けベース１４にしっかりと固定配置されることになる。
【００３３】
逆に、操作モジュール１２を取り付けベース１４から取り外す際には、図１（ａ）の状態から、レバー２２を把持部２４が上方向に向かうよう回動させる。そうすると、係止部２６が、固定レーン２８の係止孔３２から抜去される。
【００３４】
この時、付勢部３６に当接していた弾性部材４６の引っ掛け部４４が、図１（ｂ）に示すように、第１ストッパー４０に当接したまま、摺動部３８を摺動していく。そして、図１（ｃ）に示す状態まで、レバー２２を把持部２４が上方向に向かうよう回動させ、その状態で、把持部２４を持って上げれば、容易に操作モジュール１２を取り付けベース１４から取り外すことができる。このような構造となっているため、メンテナンス性や、操作モジュール１２のカスタマイズといった点で非常に有用なものとなる。
【００３５】
なお、図１（ｄ）に示すように、レバー２２の係止部２６の下端側が、弾性部材４６の一端側と他端側の間の所定箇所に当接するとともに引っ掛け部４４を第１ストッパー４０に押し当てることで、レバー２２の更なる上方向（回動方向）への回動が制止されるよう構成されている。
【００３６】
本実施形態では、図４に示すように、取り付けベース１４に操作モジュール１２をマトリクス配置させるために、１つのノーマルサイズの操作モジュール１２として、レバー２２は、対角に一対、互い違いに配置されている。このような構造としているため、無駄なスペースを省くことができ、また、レバー２２が縦に一列並ぶデザインとなり、外観上も優れたものとなる。
【００３７】
その他、図３、４に示すように、ハーフサイズの操作モジュール１２の場合は、両側面に互い違いにレバー２２が配置されていて、他のハーフサイズ、あるいは、ノーマルサイズの操作モジュール１２との外観上の調和が取れるようになっている。  
【産業上の利用可能性】
【００３８】
本発明に係る操作モジュールロック機構によれば、専用の冶具を用いずとも、操作モジュールをスイッチャの取り付けベースに取り付けることが容易に行えるとともに、また、スイッチャの取り付けベースから取り外した操作モジュールを容易に持ち、運ぶことができるため、メンテナンス性や、カスタマイズを重要視するスイッチャに非常に好適に用いることができる。
【符号の説明】
【００３９】
１０  操作モジュールロック機構
１２  操作モジュール
１４  取り付けベース
１６  スイッチャ
１８  脚部
２０  ネジ部材
２２  レバー
２４  把持部
２６  係止部
２８  固定レーン
３０  脚部挿置部
３２  係止孔
３４  切り欠き部
３６  付勢部
３８  摺動部
４０  第１ストッパー
４２  第２ストッパー
４４  引っ掛け部
４６  弾性部材
【図１】
2019110246.tif 000003
【図２】
2019110246.tif 000004
【図３】
2019110246.tif 000005
【図４】
2019110246.tif 000006